(57)【特許請求の範囲】
【請求項１】
感光体上に形成されたトナー像を回転駆動される転写媒体に転写する転写処理を、互いに異なる複数のトナー色について繰り返して各トナー色のトナー像を重ね合わせてカラー画像を形成する画像形成装置において、
前記転写処理を繰り返している際に前記転写媒体に対して一時的に当接する当接手段と、
前記転写媒体の回転動作に関連して基準信号を出力する基準信号検出手段と、
前記基準信号に基づき
(1)前記転写媒体から離間していた前記当接手段が前記転写媒体に当接した場合の周期と、
(2)前記当接手段が前記転写媒体に当接し続ける場合の周期と、
(3)前記転写媒体に当接していた前記当接手段が前記転写媒体から離間した場合の周期と、
(4)前記当接手段が前記転写媒体から離間し続ける場合の周期と
をそれぞれ所定の測定回数づつ測定し、これらの周期の相違量から、前記当接手段が前記転写媒体に離当接することによって生じる前記転写媒体上でのトナー像の相対的なレジストズレを補正するために必要なレジスト制御量を求めるレジスト制御量制定処理を実行するとともに、カラー画像の形成時には前記レジスト制御量に応じて各トナー色ごとにトナー像の転写開始位置を補正する制御手段とを備え、
必要に応じてレジスト制御量を変更設定可能となっていることを特徴とする画像形成装置。
【請求項２】
前記測定回数は変更可能に構成され、当該測定回数の変更によってレジスト制御量が変更設定される請求項１記載の画像形成装置。
【請求項３】
感光体上に形成されたトナー像を回転駆動される転写媒体に転写する転写処理を、互いに異なる複数のトナー色について繰り返して各トナー色のトナー像を重ね合わせてカラー画像を形成する画像形成方法において、
前記転写媒体の回転動作に関連した基準信号を検出する基準信号検出工程と、
前記基準信号に基づき
(1)前記転写媒体から離間していた前記当接手段が前記転写媒体に当接した場合の周期と、
(2)前記当接手段が前記転写媒体に当接し続ける場合の周期と、
(3)前記転写媒体に当接していた前記当接手段が前記転写媒体から離間した場合の周期と、
(4)前記当接手段が前記転写媒体から離間し続ける場合の周期と
をそれぞれ所定の測定回数づつ測定し、これらの周期の相違量から、前記当接手段が前記転写媒体に離当接することによって生じる前記転写媒体上でのトナー像の相対的なレジストズレを補正するために必要なレジスト制御量を求めるレジスト制御量制定処理を実行するレジスト制御量制定工程と、
前記レジスト制御量に基づき各トナー色ごとにトナー像の転写開始位置を補正する補正工程と、
必要に応じてレジスト制御量を変更設定する変更工程と
を備えたことを特徴とする画像形成方法。
【発明の詳細な説明】
【０００１】
【発明の属する技術分野】
この発明は、複数色のトナー像を重ね合わせてカラー画像を形成する画像形成装置および画像形成方法に関するものであり、特に、感光体上に形成されたトナー像を、中間転写ベルト、中間転写ドラムや転写シートなどの転写媒体上に転写する転写工程を、各トナー色について実行して転写媒体上にカラー画像を形成するものである。
【０００２】
【従来の技術】
この種の画像形成装置では、基準信号が出力されるごとに感光体上にトナー像を形成した後、感光体と同期して一定の搬送速度で回転する転写媒体上に当該トナー像を一次転写しており、このようにレジスト制御することで複数色のトナー像を正確に重ね合わせている。したがって、基準信号が出力されてから一次転写が完了するまでの間、転写媒体を感光体に同期して一定速度で回転搬送する必要がある。
【０００３】
しかしながら、転写媒体に対しては、二次転写のために二次転写ローラが一時的に当接したり、二次転写後に転写媒体上に残存する残留トナーをクリーニング除去するためにクリーニングブレードが転写媒体に一時的に当接する。そのため、その当接によって転写媒体に対する負荷変動が生じ、これによってトナー色間でトナー像が相互にずれてしまう、つまりレジストズレが生じてしまい、画像品質の低下を招いてしまう。
【０００４】
そこで、このレジストズレに対応して転写媒体の回転速度を増減させることで各色ごとのトナー像のズレ量を抑える技術が従来より提案されている。例えば、特開平１１−２３１５９９号公報では、実際にカラー画像を形成するのに先立ってダミーサイクルを実行し、トナー色間でのレジストズレ量を求め、さらにレジストズレを最小化するための補正値を求めている（本発明の「レジスト制御量制定処理」に相当する）。そして、実際のカラー画像形成においては、補正値だけ転写媒体の回転速度を増減させて転写媒体上でのトナー像の位置を調整し、レジストズレを抑制している。
【０００５】
【発明が解決しようとする課題】
ところで、レジストズレの許容度はユーザ業種や画像種類などの要因によって大きく異なる。例えば、自然画像や人物画像のような写真画像に対してはレジストズレの許容度は一般的に大きいのに対し、ＣＡＤ図面のように線ズレが深刻となる画像や色文字を多用する画像に対しては僅かのレジストズレも許されないことが多く、レジストズレの許容度は一般的に小さいといえる。
【０００６】
したがって、写真画像に合致した精度、つまり中・低精度で補正値を求めるように画像形成装置を構成した場合、写真画像についてはユーザの要求を満足する画像が得られるものの、ＣＡＤ図面などにおいて許容範囲を超える線ズレが発生してしまい、ユーザの要求を満足する品質の画像が得られないことがある。
【０００７】
一方、ＣＡＤ図面などに合致した精度、つまり高精度で補正値を求めるように画像形成装置を構成した場合、写真画像およびＣＡＤ図面などにおいて高品質の画像を得ることができるものの、補正値の精度を高めるためにダミーサイクルの回数を増やす必要があり、カラー画像の作成開始までに時間がかかるという問題が生じてしまう。特に、写真画像を専ら形成するユーザにとっては、中・低精度の補正値でも所望品質の画像を形成できるにもかかわらず、必要以上のダミーサイクルが実行されるためにカラー画像の作成開始を待たされるという問題がある。したがって、予め決められた画一的なレジスト制御量制定処理を実行して補正値を求めた後、常に当該補正値に基づきレジストズレを補正するように構成された従来の画像形成装置では、種々のユーザ要求に対して柔軟に対応することができなかった。
【０００８】
この発明は上記課題に鑑みなされたものであり、ユーザ要求に柔軟に対応しながら、レジストズレを適切に抑制することができる画像形成装置および画像形成方法を提供することを目的とする。
【０００９】
【課題を解決するための手段】
この発明は、感光体上に形成されたトナー像を回転駆動される転写媒体に転写する転写処理を、互いに異なる複数のトナー色について繰り返して各トナー色のトナー像を重ね合わせてカラー画像を形成する画像形成装置および画像形成方法であって、上記目的を達成するため、以下のように構成している。
【００１０】
この画像形成装置は、前記転写処理を繰り返している際に前記転写媒体に対して一時的に当接する当接手段と、前記転写媒体の回転動作に関連して基準信号を出力する基準信号検出手段と、前記基準信号に基づき(1)前記転写媒体から離間していた前記当接手段が前記転写媒体に当接した場合の周期と、(2)前記当接手段が前記転写媒体に当接し続ける場合の周期と、(3)前記転写媒体に当接していた前記当接手段が前記転写媒体から離間した場合の周期と、(4)前記当接手段が前記転写媒体から離間し続ける場合の周期とをそれぞれ所定の測定回数づつ測定し、これらの周期の相違量から、前記当接手段が前記転写媒体に離当接することによって生じる前記転写媒体上でのトナー像の相対的なレジストズレを補正するために必要なレジスト制御量を求めるレジスト制御量制定処理を実行するとともに、カラー画像の形成時には前記レジスト制御量に応じて各トナー色ごとにトナー像の転写開始位置を補正する制御手段とを備え、必要に応じてレジスト制御量を変更設定可能に構成されている。
【００１１】
また、この画像形成方法は、前記転写媒体の回転動作に関連した基準信号を検出する基準信号検出工程と、前記基準信号に基づき(1)前記転写媒体から離間していた前記当接手段が前記転写媒体に当接した場合の周期と、(2)前記当接手段が前記転写媒体に当接し続ける場合の周期と、(3)前記転写媒体に当接していた前記当接手段が前記転写媒体から離間した場合の周期と、(4)前記当接手段が前記転写媒体から離間し続ける場合の周期とをそれぞれ所定の測定回数づつ測定し、これらの周期の相違量から、前記当接手段が前記転写媒体に離当接することによって生じる前記転写媒体上でのトナー像の相対的なレジストズレを補正するために必要なレジスト制御量を求めるレジスト制御量制定処理を実行するレジスト制御量制定工程と、前記レジスト制御量に基づき各トナー色ごとにトナー像の転写開始位置を補正する補正工程と、必要に応じてレジスト制御量を変更設定する変更工程とを備えるよう構成されている。
【００１２】
上記のように構成された発明では、レジスト制御量制定処理によってレジスト制御量が求められるが、このレジスト制御量は必要に応じて変更設定可能となっている。そのため、ユーザ要求に応じてレジスト制御量を適宜変更することでユーザ要求に対応しながら、レジストズレを抑制することができる。
【００１３】
ここで、レジスト制御量を変更設定するためには、例えばレジスト制御量制定処理によって求められたレジスト制御量を直接書き換えたり、レジスト制御量制定処理において実行される周期測定回数を変更し、その回数変更によってレジスト制御量制定処理より求められるレジスト制御量を変更すればよい。
【００１４】
【発明の実施の形態】
Ａ．装置構成について
図１は、この発明にかかる画像形成装置の一実施形態を示す図である。また、図２は、図１の画像形成装置の電気的構成を示すブロック図である。この画像形成装置は、イエロー（Ｙ）、シアン（Ｃ）、マゼンタ（Ｍ）、ブラック（Ｋ）の４色のトナーを重ね合わせてフルカラー画像を形成する装置であり、ホストコンピュータなどの外部装置から画像信号（画像形成指令）が制御ユニット１のメインコントローラ１１に与えられると、このメインコントローラ１１のＣＰＵ１１１によってエンジン部Ｅの動作指示に適した形式のジョブデータに変換される。そして、メインコントローラ１１からのジョブデータに応じてエンジンコントローラ１２がエンジン部Ｅの各部を制御して転写紙、複写紙やＯＨＰシートなどのシートＳに画像信号に対応する画像を形成する。
【００１５】
このエンジン部Ｅでは、プロセスユニット２の感光体２１にトナー像を形成可能となっている。すなわち、プロセスユニット２は、図１の矢印方向に回転可能な感光体２１を備えており、さらに感光体２１の周りにその回転方向に沿って、帯電手段としての帯電ローラ２２、現像手段としての現像器２３Ｙ，２３Ｃ，２３Ｍ，２３Ｋ、および感光体用クリーナブレード２４がそれぞれ配置されている。
【００１６】
この装置では、帯電ローラ２２が感光体２１の外周面に当接して外周面を均一に帯電させた後、感光体２１の外周面に向けて露光ユニット３からレーザ光Ｌが照射される。この露光ユニット３は、同図に示すように、画像信号に応じて変調駆動される半導体レーザなどの発光素子３１を備えており、この発光素子３１からのレーザ光Ｌが高速モータ３２によって回転駆動される多面鏡３３に入射されている。そして、多面鏡３３によって反射されたレーザ光Ｌはレンズ３４およびミラー３５を介して感光体２１上に主走査方向（同図の紙面に対して垂直な方向）に走査して画像信号に対応する静電潜像を形成する。なお、符号３６は主走査方向における同期信号、つまり水平同期信号ＨSYNCを得るための水平同期用読取センサである。
【００１７】
こうして形成された静電潜像は現像部２３によってトナー現像される。すなわち、この実施形態では現像部２３として、イエロー用の現像器２３Ｙ、シアン用の現像器２３Ｃ、マゼンタ用の現像器２３Ｍ、およびブラック用の現像器２３Ｋがこの順序で感光体２１に沿って配置されている。これらの現像器２３Ｙ，２３Ｃ，２３Ｍ，２３Ｋは、それぞれ感光体２１に対して接離自在に構成されており、エンジンコントローラ１２からの指令に応じて、上記４つの現像器２３Ｙ、２３Ｍ、２３Ｃ、２３Ｂのうちの一の現像器が選択的に感光体２１に当接するとともに、高電圧が印加されて選択された色のトナーを感光体２１の表面に付与して感光体２１上の静電潜像を顕在化する。
【００１８】
現像部２３で現像されたトナー像は、ブラック用現像器２３Ｋと感光体用クリーナブレード２４との間に位置する一次転写領域Ｒ1で転写ユニット４の中間転写ベルト４１上に一次転写される。また、一次転写領域Ｒ1から周方向（図１の矢印方向）に進んだ位置には、感光体用クリーナブレード２４が配置されており、一次転写後に感光体２１の外周面に残留付着しているトナーを掻き落とす。
【００１９】
次に、転写ユニット４の構成について説明する。この実施形態では、転写ユニット４は、ローラ４２〜４７と、これら各ローラ４２〜４７に掛け渡された中間転写ベルト４１と、この中間転写ベルト４１に転写された中間トナー像をシートＳに二次転写する二次転写ローラ４８と、感光体２１および中間転写ベルト４１を同期して回転駆動する感光体／ベルト駆動部４１ａ（図２）とを備えている。そして、カラー画像をシートＳに転写する場合には、感光体２１上に形成される各色のトナー像を中間転写ベルト４１上に重ね合わせてカラー像を形成するとともに、給排紙ユニット６の給紙部６３によってカセット６１、手差しトレイ６２あるいは増設カセット（図示省略）からシートＳを取出して二次転写領域Ｒ2に搬送する。さらに、このシートＳにカラー像を二次転写することでフルーカラー画像を得ている。
【００２０】
なお、二次転写後、中間転写ベルト４１の外周面に残留付着しているトナーについては、ベルトクリーナ４９に設けられているクリーナブレード４９１によって除去される。すなわち、このベルトクリーナ４９は、中間転写ベルト４１を挟んでローラ４６と対向して配置されており、後述するタイミングでクリーナブレード４９１が中間転写ベルト４１に対して当接してその外周面に残留付着しているトナーを掻き落す。
【００２１】
また、ローラ４３の近傍には、中間転写ベルト４１の基準位置を検出するためのセンサ４０が配置されており、主走査方向とほぼ直交する副走査方向における同期信号、つまり垂直同期信号ＶSYNCを得るための垂直同期用読取センサとして機能する。
【００２２】
上記のようにして転写ユニット４によってトナー像が転写されたシートＳは、給排紙ユニット６の給紙部６３によって所定の給紙経路（２点鎖線）に沿って二次転写領域Ｒ2の下流側に配設された定着ユニット５に搬送され、シートＳ上のトナー像をシートＳに定着する。そして、当該シートＳはさらに給紙経路に沿って排紙部６４に搬送された後、標準排紙トレイに排紙される。
【００２３】
次に、上記のように構成された画像形成装置の電気的構成について説明する。エンジンコントローラ１２はＣＰＵ１２１を有しており、エンジン部Ｅからの入力信号として水平同期用読取センサ３６から水平同期信号ＨSYNCを、また垂直同期用読取センサ４０から垂直同期信号ＶSYNCを、さらに定着ユニット５に設けられた温度センサ５１から定着温度を示す温度信号を、それぞれ受けている。また、これらの入力信号および各種情報などに基づき、ＣＰＵ１２１は感光体２１と中間転写ベルト４１とを同期して回転駆動する感光体／ベルト駆動部４１ａと駆動制御するための駆動指令信号を感光体／ベルト駆動制御回路１２２に与え、この感光体／ベルト駆動制御回路１２２によって直流モータを駆動源とする感光体／ベルト駆動部４１ａを制御して感光体２１の回転速度および中間転写ベルト４１の搬送速度Ｖを加減速制御している。また、ＣＰＵ１２１は後述するレジスト制御量の制定・記憶処理、レジスト制御量に基づく転写開始位置の補正処理、レジスト制御量の変更設定処理などを実行する。
【００２４】
また、エンジンコントローラ１２には、転写ユニット４を制御する専用の制御回路として、感光体／ベルト駆動制御回路１２２以外にも転写ローラ離当接制御回路１２３およびベルトクリーナ離当接制御回路１２４をさらに備えている。この転写ローラ離当接制御回路１２３はＣＰＵ１２１からの指令信号に基づき二次転写ローラ用駆動部４８ａを制御して適当なタイミングで二次転写ローラ４８を中間転写ベルト４１に対して離当接させる。一方、ベルトクリーナ離当接制御回路１２４はＣＰＵ１２１からの指令信号に基づきＣＢ信号をベルトクリーナ用駆動部４９ａに与えることでベルトクリーナ用駆動部４９ａを制御して適当なタイミングでクリーナブレード４９１を中間転写ベルト４１に対して離当接させる。
【００２５】
なお、図中の符号１１３はホストコンピュータなどの外部装置よりインターフェース１１２を介して与えられた画像を記憶するためにメインコントローラ１１に設けられた画像メモリであり、符号１２５は後述するようにレジスト制御量制定処理中に取得される周期データ、それらのデータに基づきＣＰＵ１２１によって求められるレジスト制御量、ジョブ繰返し数、エンジン部Ｅを制御するための制御データやＣＰＵ１２１における演算結果などを記憶するためのメモリである。
【００２６】
Ｂ．基本動作について
図３は、上記のように構成された画像形成装置の基本動作を示すフローチャートである。このような画像形成装置では、一次転写処理を繰り返している際に、二次転写ローラ４８やクリーナブレード４９１などの当接手段が中間転写ベルト４１に当接すると、後の「Ｂ−１．レジストズレについて」の項で詳述するように種々のレジストズレが発生するが、レジスト制御量だけ転写開始位置を補正することでレジストズレを抑制して画像品質を向上させている。
【００２７】
この画像形成装置では、装置電源が投入されると、実際の画像形成処理に先立って、レジスト制御量制定処理（ステップＳ１）を実行して３種類のレジスト制御量を自動的に制定し、これらを初期レジスト制御量として記憶部たるメモリ１２５に記憶する。この実施形態では、３種類の初期レジスト制御量として以下のレジスト制御量Ｒa，Ｒb，Ｒc、つまり、
Ｒa：一次転写処理中にクリーナブレード４９１が当接し、その当接状態のまま一次転写処理を完了することで発生するレジストズレを補正するためのレジスト制御量、
Ｒb：一次転写開始前にクリーナブレード４９１が当接し、その当接状態で一次転写処理が継続され、その処理途中でクリーナブレード４９１が離間することで発生するレジストズレを補正するためのレジスト制御量、
Ｒc：一次転写開始前に当接していたクリーナブレード４９１が離間し、その後、その離間状態のまま一次転写処理を行う際に生じるレジストズレを補正するためのレジスト制御量、
が制定される。なお、これら３種類のレジスト制御量の自動制定動作（ステップＳ１）の詳細については、後の「Ｂ−２．初期レジスト制御量の制定処理について」の項で詳述する。
【００２８】
こうして３種類の初期レジスト制御量Ｒa，Ｒb，Ｒcの制定（ステップＳ１）が完了すると、ホストコンピュータなどの外部装置からの画像信号、つまり印字要求を待つ（ステップＳ２）。そして、印字要求があると、その印字モードがモノクロ印字か、カラー印字であるかを判断し（ステップＳ３）、モノクロ印字と判断した場合には、レジスト制御することなく、通常の画像形成処理を実行してステップＳ２に戻る。一方、ステップＳ３でカラー印字であると判断した場合には、３つのシーケンスフラグＦ0，Ｆ1，Ｆ2のうちから印字シーケンス状態に応じたシーケンスフラグを選択的に設定する（ステップＳ４）。
【００２９】
そして、そのシーケンスフラグに応じたレジスト制御量を設定した（ステップＳ５）後、各トナー像を一次転写するにあたって、感光体２１を所定の加減速可能期間の間に加減速制御して潜像形成位置を基準潜像形成位置に対して副走査方向にレジスト制御量だけシフト移動させる。これによって一次転写される中間転写ベルト４１上でのトナー像の転写位置も副走査方向にレジスト制御量だけ移動する。こうして、転写開始位置を補正してレジストズレを抑制する。なお、この詳細については、後の「Ｂ−３．転写開始位置の補正について」の項で詳細に説明する。
【００３０】
このようにしてレジスト制御量に基づきレジストズレを抑制しながら、カラー画像の形成が完了すると、ステップＳ６で印字を終了したか否かを判断し、印字終了と判断した場合には、ステップＳ２に戻り、次の印字要求を待つ。一方、印字が終了していないと判断した場合には、ステップＳ３に戻り、上記と同様の処理を繰り返す。
【００３１】
Ｂ−１．レジストズレについて
ここでは、転写開始位置の補正を全く行わずに図１の画像形成装置を図４に示す動作シーケンスで動作させた場合のレジストズレの発生状況について、図４ないし図９を参照しつつ詳述する。
【００３２】
図４は、図１の画像形成装置における動作シーケンスの一例を示すタイミングチャートである。同図に示すように、装置電源を投入した後、あるいは画像形成装置のスリープモードが解除されると、中間転写ベルト４１が回転搬送されて垂直同期用読取センサ４０から垂直同期信号ＶSYNCが間欠的に出力される。そして、垂直同期信号ＶSYNCがタイミングＶＴ1〜ＶＴ7，…で出力されるごとに、一定時間をおいてイエロー静電潜像、シアン静電潜像、マゼンタ静電潜像およびブラック静電潜像がこの順序で繰り返して感光体２１上に形成される。静電潜像が形成された後、現像器２３Ｙ、２３Ｍ、２３Ｃ、２３Ｋのうちの一の現像器が選択的に感光体２１に当接して感光体２１上の静電潜像を顕在化し、そのトナー像を中間転写ベルト４１上に一次転写する。したがって、各色のトナー像はすべて感光体２１上の所定位置、つまり基準潜像形成位置に形成されることとなり、感光体２１と同期して回転する中間転写ベルト４１に対しても同一位置で一次転写される（各トナー色についての一次転写処理）。
【００３３】
そして、上記一次転写処理を４色分繰り返すと、４色のトナー像が中間転写ベルト４１上で重ね合わせてカラー画像が形成される。こうしてカラー画像が得られると、二次転写ローラ４８がシートＳを挟んで中間転写ベルト４１に当接してシートＳにカラー画像を二次転写するとともに、ＣＢ信号に応じてクリーナブレード４９１が中間転写ベルト４１に当接して当該ベルト表面に残存しているトナーが除去される。このような動作が繰り返されてカラー画像が形成されたシートＳが順次標準排紙トレイに排紙される。
【００３４】
これが図４の動作シーケンスに従った画像形成装置の動作概要であるが、このような動作と副走査方向におけるレジストズレ量との関係について調べると、１枚目と２枚目以降とで異なる結果が得られた。このような相違点は動作シーケンスの相違に起因するものであり、以下、１枚目の画像形成を行う動作シーケンス（以下、「第１印字シーケンス」という）と、２枚目以降の画像形成を行う動作シーケンス（以下、「第２印字シーケンス」という）とに分けて説明する。また、この種の装置では、空転処理に伴う第３印字シーケンスが存在するため、これについても併せて説明する。
【００３５】
Ｂ−１−１．第１印字シーケンス
まず、装置電源が投入される（あるいは画像形成装置のスリープモードが解除される）と、中間転写ベルト４１が回転搬送されて垂直同期用読取センサ４０から垂直同期信号ＶSYNCがタイミングＶＴ1〜ＶＴ3で順次出力されるが、最初のタイミングＶＴ1に対応して上記のようにしてイエロートナー像Ｙ１が中間転写ベルト４１上に一次転写され、またタイミングＶＴ2に対応してシアントナー像Ｃ１がイエロートナー像Ｙ１に重ねて中間転写ベルト４１上に一次転写され、さらにタイミングＶＴ3に対応してマゼンタトナー像Ｍ１がイエロートナー像Ｙ１およびシアントナー像Ｃ１に重ねて中間転写ベルト４１上に一次転写される。この間、中間転写ベルト４１のクリーニング処理および二次転写処理は行われず、当接手段（二次転写ローラ４８およびクリーナブレード４９１）は中間転写ベルト４１から離間している。このため、これら３つのトナー像Ｙ１，Ｃ１，Ｍ１は、いずれも中間転写ベルト４１上の同一位置に重ね合わされ、副走査方向において正確にレジストされる。つまり、図５に示すように、これら３つのトナー像Ｙ１，Ｃ１，Ｍ１の転写開始位置はすべて基準転写開始位置に一致し、しかもそれらの転写後端位置も基準転写後端位置にすべて一致している。なお、同図中の１点鎖線は各トナー像が転写される一次転写位置を示しており、実際の一次転写処理ではこの１点鎖線部分で各トナー像が順番に重ね合わされるが、ここでは説明の便宜から、各トナー像を上下方向に離間して図示している（後の図１２も同様）。
【００３６】
次に、タイミングＶＴ4で垂直同期信号ＶSYNCが出力されると、図６に示すように、所定時間Ｔ10後に露光ユニット３にＶＩＤＥＯ信号が与えられてブラックトナー像Ｋ１に相当する静電潜像を他のトナー色と同様に所定の基準潜像形成位置に形成しながら、ブラック用現像器２３Ｋによってトナー現像する。そして、垂直同期信号ＶSYNCの出力（タイミングＶＴ4）から一定時間Ｔ20経過した時点より一次転写処理を開始する。この時点では、イエロートナー像Ｙ１、シアントナー像Ｃ１およびマゼンタトナー像Ｍ１の場合と同様に、クリーナブレード４９１は中間転写ベルト４１から離間しており、その結果、図５に示すように、ブラックトナー像Ｋ１の転写開始位置も他のトナー像Ｙ１，Ｃ１，Ｍ１と同様に基準転写開始位置に一致している。そして、離間継続中においては中間転写ベルト４１の搬送速度Ｖは一定であり、ブラックトナー像Ｋ１は既に一次転写されている他のトナー像Ｙ１，Ｃ１，Ｍ１と正確にレジストされながら、重ね合わされていく。
【００３７】
しかしながら、ブラックトナー像Ｋ１の一次転写後半に差し掛ったある時点、つまりタイミングｔ1で、クリーナブレード４９１の動作を制御するＣＢ信号がＬレベルからＨレベルに立ち上がり、クリーナブレード４９１が中間転写ベルト４１に当接してブラックトナー像Ｋ１がその他のトナー像Ｙ１，Ｃ１，Ｍ１に対して副走査方向にずれてしまう。すなわち、タイミングｔ1でクリーナブレード４９１が中間転写ベルト４１に当接し、中間転写ベルト４１の搬送負荷として作用し、中間転写ベルト４１について瞬間的に副走査方向に伸びＡ27が生じる。その結果、（−）方向にレジストズレ量Ａ27だけレジストズレが生じる。
【００３８】
また、タイミングｔ1以降、次にＣＢ信号が再度ＬレベルからＨレベルに立ち上がるまでクリーナブレード４９１は中間転写ベルト４１に当接した状態に維持されて中間転写ベルト４１のクリーニング処理を実行するのであるが、ブラックトナー像Ｋ１の一次転写処理はタイミングｔ2までその当接状態のまま継続される。その結果、レジストズレはさらに大きくなり、最終的なブラックトナー像Ｋ１の副走査方向におけるレジストズレ量は、
Ａ32＝Ａ27＋Ａ6
となり、図５に示すように、ブラックトナー像Ｋ１の転写後端位置は基準転写後端位置から（−）方向にズレ量Ａ32だけずれる。ただし、符号Ａ6はタイミングｔ1からタイミングｔ2までの間（つまり時間Ａ7）、クリーナブレード４９１が中間転写ベルト４１に当接し続けていることによって生じたベルト伸びに相当する。また、図６（および後で説明するレジストズレ状況を示す図）において、太実線は対応トナー色のトナー像についてのレジストズレを示す一方、太破線はレジストズレ発生状況の理解を助けるための補助線である。
【００３９】
このように、１枚目のカラー画像については、図５に示すように、後半部分でブラックトナー像Ｋ１のみが他のトナー像Ｙ１，Ｃ１，Ｍ１からずれ、特にカラー画像の最後尾部分ではレジストズレ量Ａ32だけずれてしまう。より詳しくは、図６に示すように、１枚目のブラックトナー像については、一次転写中での副走査方向におけるレジストズレは、振れ幅中心ＡＣ1を中心として副走査方向の（＋）および（−）方向にそれぞれズレ量（Ａ32／２）の範囲内で発生し、画像品質の低下を招いている。なお、クリーナブレード４９１の当接前に二次転写ローラ４８も中間転写ベルト４１に当接して同様のレジストズレが発生するのであるが、それに対応するレジストズレ量はクリーナブレード４９１のそれに比べて小さく、発明の基本原理の理解を容易にするため、ここでは中間転写ベルト４１に対する二次転写ローラ４８の離当接によるレジストズレを無視して説明する。
【００４０】
Ｂ−１−２．第２印字シーケンス
このようなレジストズレは１枚目のみに生じるものではなく、２枚目のカラー画像においても現れる。すなわち、２枚目のイエロートナー像Ｙ２を形成するために、図７に示すように、タイミングＶＴ5で垂直同期信号ＶSYNCが出力されてから所定時間Ｔ10経過した後にそのイエロートナー像Ｙ２を形成するためのＶＩＤＥＯ信号が露光ユニット３に与えられる。そして、イエロートナー像Ｙ２に相当する静電潜像を感光体２１上に形成しながら、イエロー用現像器２３Ｙによってトナー現像する。また、垂直同期信号ＶSYNCの出力（タイミングＶＴ5）から一定時間Ｔ20経過した時点、つまりタイミングｔ3より一次転写処理を開始する。
【００４１】
ところが、垂直同期信号ＶSYNCの出力タイミングＶＴ5からしばらくすると、上記したようにクリーナブレード４９１が中間転写ベルト４１に当接して中間転写ベルト４１について副走査方向に瞬間伸びＡ27が生じる。しかも、その当接状態が後述するように次にＣＢ信号がＨレベルに立ち上がるまで継続されるため、副走査方向への伸びが時間経過ととも増大する。そして、一次転写開始タイミングｔ3では、副走査方向におけるレジストズレ量Ａ30は、
Ａ30＝Ａ27＋Ａ9
となる。ただし、符号Ａ9はタイミングｔ1からタイミングｔ3までの間（つまり時間Ａ10）、クリーナブレード４９１が中間転写ベルト４１に当接し続けていることによって生じたベルト伸びに相当する。
【００４２】
また、中間転写ベルト４１が約１周分だけベルトクリーナ４９を通過すると、ベルト全体がクリーニングされてクリーニング処理が完了するので、タイミングｔ4でＣＢ信号が再度ＬレベルからＨレベルに立ち上がり、クリーナブレード４９１が中間転写ベルト４１から離間する。一次転写開始（タイミングｔ3）からクリーナブレード４９１の離間（タイミングｔ4）までの間、クリーナブレード４９１は中間転写ベルト４１に当接し続けており、その間Ａ12（＝ｔ4−ｔ3）に中間転写ベルト４１は副走査方向に伸び量Ａ11だけ伸びてレジストズレがさらに増大し、タイミングｔ4直前でのレジストズレ量は（−）方向にズレ量Ａ35になる。
【００４３】
一方、このタイミングｔ4では、クリーナブレード４９１が中間転写ベルト４１から離間する。したがって、当接時とは逆に、中間転写ベルト４１に与えられていた負荷が解放されるため、中間転写ベルト４１は縮み量Ａ26だけ縮み、副走査方向におけるレジストズレ量はＡ26だけ減少する。
【００４４】
このように、２枚目のカラー画像については、イエロートナー像Ｙ２の転写開始位置が基準転写開始位置から大きくずれてしまう。しかも、一次転写の進行とともに、ズレ量が増大し、一次転写中にタイミングｔ4でクリーナブレード４９１が離間すると、今度は逆にレジストズレ量は減少する。すなわち、図７に示すように、２枚目のイエロートナー像Ｙ２については、一次転写中での副走査方向におけるレジストズレは、振れ幅中心ＡＣ2を中心として副走査方向の（＋）および（−）方向のそれぞれにズレ量（Ａ26／２）の範囲内で発生し、画像品質の低下を招いている。
【００４５】
また、イエロートナー像Ｙ２に続いて一次転写されるシアントナー像Ｃ２についても、クリーナブレード４９１の離当接による影響を受けて転写開始位置が基準転写開始位置からずれてしまう。この現象について、図８を参照しつつ説明する。
【００４６】
２枚目のシアントナー像Ｃ２を形成するために、タイミングＶＴ6で垂直同期信号ＶSYNCが出力されてから所定時間Ｔ10経過した後にそのシアントナー像Ｃ２を形成するためのＶＩＤＥＯ信号が露光ユニット３に与えられる。そして、シアントナー像Ｃ２に相当する静電潜像を感光体２１上に形成しながら、シアン用現像器２３Ｃによってトナー現像する。また、垂直同期信号ＶSYNCの出力（タイミングＶＴ6）から一定時間Ｔ20経過した時点、つまりタイミングｔ5より一次転写処理を開始する。
【００４７】
ここでは、垂直同期信号ＶSYNCの出力タイミングＶＴ6時点では、上記したようにクリーナブレード４９１は中間転写ベルト４１に当接しており、タイミングｔ4（ＣＢ信号が再度ＬレベルからＨレベルに立ち上がる）まで、つまり時間Ａ14だけ、この当接状態が維持される。そのため、タイミングＶＴ6からタイミングｔ4までの間に中間転写ベルト４１はＡ13だけ伸びる。一方、タイミングｔ4でクリーナブレード４９１が中間転写ベルト４１から離間すると、上記したように、今度は当接時とは逆に、中間転写ベルト４１に与えられていた負荷が解放されて中間転写ベルト４１はＡ26だけ縮む。そして、それ以降は、次にＣＢ信号が再度ＬレベルからＨレベルに立ち上がるまで離間状態に保たれる。その結果、シアントナー像Ｃ２の一次転写開始時点（タイミングｔ5）では、副走査方向におけるレジストズレ量Ａ34は、
Ａ34＝Ａ26−Ａ13
となる。
【００４８】
このように、２枚目のシアントナー像Ｃ２については、一次転写中での副走査方向におけるレジストズレは、振れ幅中心ＡＣ3を中心として振幅量０となっており、一次転写処理中においてレジストズレ量は変化しないものの、振れ幅中心ＡＣ3自体が副走査方向（＋）にズレ量Ａ34だけ平行シフトしており、これによって画像品質の低下を招いている。
【００４９】
上記のようにしてシアントナー像Ｃ２の一次転写が完了すると、次にマゼンタトナー像Ｍ２のトナー像形成および一次転写処理を行うのであるが、その処理の間、クリーナブレード４９１は中間転写ベルト４１から離間した状態のままであるため、１枚目と同様に副走査方向におけるレジストズレは発生せず、ズレ量はゼロとなる。したがって、マゼンタトナー像Ｍ２については、一次転写中での副走査方向におけるレジストズレは、レジストズレ量がゼロの軸（図６、図７などにおける1点鎖線ＡＣ0）を振れ幅中心とし、その振幅量もゼロとなっている。このことから、図４に示す動作シーケンスで画像形成を行う画像形成装置では、マゼンタトナー像を基準トナー像とし、その転写開始位置および転写後端位置を、それぞれ「基準転写開始位置」および「基準転写後端位置」とすることができる。
【００５０】
また、マゼンタトナー像Ｍ２の一次転写が完了すると、２枚目のブラックトナー像の像形成および一次転写処理を行うのであるが、この場合、１枚目と同様に一次転写途中でクリーナブレード４９１が中間転写ベルト４１に当接して中間転写ベルト４１を伸びＡ32だけ伸ばし、副走査方向において（−）方向にレジストズレが発生する。なお、動作シーケンスに対するレジストズレ量の変化を示すプロファイル（以下においては、単に「プロファイル」と称する）は図６と同一であり、一次転写中での副走査方向におけるレジストズレは、振れ幅中心ＡＣ1を中心として副走査方向の（＋）および（−）方向にそれぞれズレ量（Ａ32／２）の範囲内で発生し、画像品質の低下を招いている。
【００５１】
さらに、３枚目のカラー画像に続いて、４枚目以降のカラー画像を連続的に形成する場合、上記した２枚目と同様のレジストズレが発生する。
【００５２】
Ｂ−１−３．第３印字シーケンス
さらに、この種の画像形成装置では、中間転写ベルト４１を空転させることがある。例えばホストコンピュータなどの外部装置からの画像信号の間隔が一定以上あくと、中間転写ベルト４１を空転させるが、２回以上空転させる必要がある場合には、一旦装置を止めてしまう。このとき、クリーナブレード４９１は中間転写ベルト４１に当接状態となっている。そして、新たに画像形成を開始する場合には、中間転写ベルト４１が回転駆動されて画像形成が開始されるが、最初のイエロートナー像を一次転写する際、図８に示す２枚目以降のシアントナー像の場合と同様のレジストズレが発生する。
【００５３】
すなわち、図９に示すように、画像形成が再開されて中間転写ベルト４１が回転駆動されると、垂直同期用読取センサ４０から垂直同期信号ＶSYNCがタイミングＶＴ01で出力され、そのタイミングＶＴ01から一定時間Ａ14後にクリーナブレード４９１が中間転写ベルト４１から離間した後、イエロートナー像の一次転写が開始される。そのため、上記「Ｂ−１−２．第２印字シーケンス」のシアントナー像Ｃ２の場合と同様の理由により、転写開始位置が（＋）方向にズレ量Ａ34だけずれる。つまり、一次転写中での副走査方向におけるレジストズレは、振れ幅中心ＡＣ4を中心として振幅量０となっており、一次転写処理中においてレジストズレ量は変化しないものの、振れ幅中心ＡＣ4自体が副走査方向（＋）にズレ量Ａ34だけ平行シフトしており、これによって画像品質の低下を招いている。
【００５４】
そして、続くシアンおよびマゼンタトナー像の一次転写はクリーナブレード４９１が常時中間転写ベルト４１から離間した状態で実行されるため、レジストズレは発生しないが、最後のブラックトナー像については、第１および第２印字シーケンスの場合と同様に一次転写している最中にクリーナブレード４９１および二次転写ローラ４８が中間転写ベルト４１に当接して（−）方向にズレ量Ａ32のレジストズレが発生する。
【００５５】
以上のように、一次転写処理を繰り返している間に、クリーナブレード４９１などの当接手段が中間転写ベルト４１に離当接すると、離当接タイミングに応じて所定のレジストズレ量が発生する。このプロファイル自体は装置構成や動作条件などによって決まる固有のものであり、装置構成や動作シーケンスを変更しない限り当該プロファイル自体は変化しないが、レジストズレ量に応じて転写開始位置を副走査方向に移動させることで基準トナー像に対するレジストズレをゼロまたは抑制することができる。例えばシアントナー像Ｃ２については、図８に示すように、シアントナー像Ｃ２の転写開始位置が基準転写開始位置に対して（＋）方向にズレ量Ａ34となっており、それ以降ではレジストズレ量の増減が見られないため、シアントナー像Ｃ２の転写開始位置がレジストズレ量Ａ34だけ（−）方向にずれるように制御することによって、レジストズレ量をゼロにすることができる。
【００５６】
したがって、この実施形態では、上記したように実際の画像形成処理に先立って、装置構成および動作シーケンス等から上記したと同様の解析を予め行ってレジストズレ量を導出し、そのレジストズレ量をゼロあるいは抑制するために必要なレジスト制御量（例えば、上記シアンの場合におけるＡ34に相当）を求めておき、実際の画像形成処理においてはレジスト制御量に基づき転写開始位置を副走査方向に補正することによって、基準トナー色（マゼンタ）以外のトナー色（Ｙ，Ｃ，Ｋ）の振れ幅中心ＡＣ1〜ＡＣ4を基準トナー色の振れ幅中心ＡＣ0と一致させることで、レジストズレを抑制し、高品質な画像を形成している。
【００５７】
Ｂ−２．初期レジスト制御量の制定処理について
図１０は、初期レジスト制御量を自動的に制定する処理（レジスト制御量制定処理）を示すフローチャートである。まず、実施形態にかかる画像形成装置の装置構成および動作シーケンスに基づき以下の初期設定条件を予め設定し、メモリ１２５に記憶させておく。そして、図１１に示すように、ＶSYNC信号を基準として、(1)クリーナブレード４９１および二次転写ローラ４８が中間転写ベルト４１に当接する周期Ｔ1、(2)クリーナブレード４９１および二次転写ローラ４８が中間転写ベルト４１に当接し続ける周期Ｔ2、(3)クリーナブレード４９１および二次転写ローラ４８が中間転写ベルト４１から離間する周期Ｔ3、および、(4)クリーナブレード４９１および二次転写ローラ４８が中間転写ベルト４１から離間し続ける周期Ｔ4を１ジョブとするレジスト制御量制定ジョブ（ステップＳ１１）を、所定回数、例えば２０回繰り返す（ステップＳ１２）。
【００５８】
なお、初期条件は、
Ａ2：プロセス速度（中間転写ベルト４１の周速）、
Ａ7：クリーナブレード４９１の当接からブラックトナー像の一次転写終了までの時間（図６参照）、
Ａ8：中間転写ベルト４１が一周するのに要する時間
Ａ10：クリーナブレード当接からイエロートナー像の一次転写開始までの時間（図７参照）、
Ａ12：イエロートナー像の転写開始位置からクリーナブレード離間までの時間（図７参照）、
Ａ14：ＶSYNC信号からクリーナブレード離間までの時間（図８参照）、
Ａ17：周期Ｔ1におけるＶSYNC信号からクリーナブレード当接までの時間間隔（図１１参照）、
Ａ18：周期Ｔ3におけるＶSYNC信号からクリーナブレード離間までの時間間隔（図１１参照）、
となっている。
【００５９】
また、この実施形態では、レジスト制御量制定ジョブ（ステップＳ１１）を繰り返して実行している間、刻々と得られる周期データ（周期Ｔ1〜Ｔ4）をメモリ１２５に記憶していく。また、その間、帯電バイアスおよび一次転写バイアスについては常時ＯＮ状態に設定されている。また、図１への図示を省略しているが、一次転写領域Ｒ1と感光体用クリーナブレード２４との間に除電ランプが設けられているが、この除電ランプも常時ＯＮ状態に設定されている。さらに、二次転写ローラ４８が中間転写ベルト４１に当接している間、二次転写バイアスを与えて実印字に近い状態で初期レジスト制御量を求めている。
【００６０】
こうして、各周期Ｔ1〜Ｔ4について、それぞれ２０個の実測値が得られると、その周期データをメモリ１２５から読み出し、これらの平均値Ｔ1(av)〜Ｔ4(av)をそれぞれ演算する（ステップＳ１３）。さらに、初期レジスト制御量Ｒa，Ｒb，Ｒcをそれぞれ以下の数式に基づき演算によって求める（ステップＳ１４）。なお、その理由について、それぞれ分けて説明する。
【００６１】
＜初期レジスト制御量Ｒaについて＞
図６に示すように、ブラックトナー像Ｋ１を中間転写ベルト４１に一次転写している最中に、クリーナブレード４９１の当接が開始され、例えばＡ３サイズのブラックトナー像Ｋ１の一次転写が完了する時点においてもクリーナブレード４９１の当接が継続されているため、副走査方向におけるレジストズレ量Ａ32が発生する。そのレジストズレ量Ａ32は２つの伸びＡ6，Ａ27の総和となる。つまり、
Ａ32＝Ａ6＋Ａ27
となる。
【００６２】
ここで、当接伸びＡ6は、クリーナブレード４９１が当接した状態で中間転写ベルト４１が回転搬送されることで発生する当接伸びであり、伸びＡ27は、クリーナブレード４９１が中間転写ベルト４１に当接した時の瞬間伸び（弾性分＋滑り分）である。
【００６３】
まず、伸びＡ6について検討する。クリーナブレード４９１が当接していることで、周期差Ａ1が発生するが、この周期差Ａ1については次式、
Ａ1＝（Ｔ2(av)−Ｔ4(av)）×Ａ2×１０００
で求めることができる。そして、ブラックトナー像Ｋ１の一次転写中においてクリーナブレード４９１は所定時間Ａ7だけしか当接していないので、当接伸びＡ6は、
Ａ6＝Ａ1×Ａ7／Ａ8
となる。
【００６４】
一方、瞬間伸びＡ27は、周期Ｔ1，Ｔ4を比較することで求めることができる。すなわち、瞬間伸びＡ27は、次式
Ａ27＝（Ｔ1(av)−Ｔ4(av)）×Ａ2×１０００−Ａ15
で求めることができる。ただし、伸びＡ15は、図１１に示すように、周期Ｔ1中においてクリーナブレード４９１が所定時間Ａ17だけ当接していることによる伸びであり、この伸びＡ15は、
Ａ15＝Ａ1×（Ａ8−Ａ17）／Ａ8
で求めることができる。
【００６５】
したがって、レジストズレ量Ａ32を、
Ａ32＝Ａ6＋Ａ27
によって求めることができ、この半分の値だけ予め転写開始位置を副走査方向にずらしておくことでブラックトナー像Ｋ１のレジストズレを最小限に抑えることができる。そこで、この実施形態では、初期レジスト制御量Ｒaを、
Ｒa＝Ａ32／２
に設定している。
【００６６】
＜初期レジスト制御量Ｒbについて＞
図７に示すように、ブラックトナー像Ｋ１の一次転写に続いてイエロートナー像Ｙ２を中間転写ベルト４１に一次転写する場合、クリーナブレード当接からイエロートナー像の一次転写開始までの時間Ａ10の間に副走査方向に伸びＡ30（＝Ａ27＋Ａ9）が発生している。また、一次転写が開始された後もクリーナブレード４９１が中間転写ベルト４１に当接しているために伸びＡ11が生じる反面、一次転写が完了する直前にクリーナブレード４９１が中間転写ベルト４１から離間し、縮みＡ26が発生する。したがって、同図に示すように、縮みＡ26が伸びＡ11よりも大きな場合には、初期レジスト制御量Ｒbを、
Ｒb＝Ａ35−Ａ26／２
ただし、Ａ35＝Ａ30＋Ａ11
に設定する一方、逆の場合（Ａ26＜Ａ11）には、初期レジスト制御量Ｒbを、
Ｒb＝Ａ35−Ａ11／２
に設定することで、イエロートナー像のレジストズレを最小限に抑えることができる。
【００６７】
ここで、一次転写開始時点での伸びＡ30は、上記したように、
Ａ30＝Ａ27＋Ａ9
となるが、伸びＡ9はクリーナブレード４９１が当接した状態で中間転写ベルト４１が時間Ａ10の間だけ回転搬送されることにより生じた伸びであり、次式
Ａ9＝Ａ1×Ａ10／Ａ8
で求めることができる。
【００６８】
また、伸びＡ11は一次転写が開始された後もクリーナブレード４９１が中間転写ベルト４１に当接しているために生じた伸びであり、次式
Ａ11＝Ａ1×Ａ12／Ａ8
で求めることができる。
【００６９】
さらに、縮みＡ26は、クリーナブレード４９１が中間転写ベルト４１から離間したことによるものであり、周期Ｔ3，Ｔ4を比較することで求めることができる。すなわち、次式
Ａ26＝Ａ25−（Ｔ3(av)−Ｔ4(av)）×Ａ2×１０００
に基づき求めることができる。なお、同式中のＡ25は、図１１に示すように、周期Ｔ3における伸びであり、次式
Ａ25＝Ａ1×Ａ18／Ａ8
で求めることができる。
【００７０】
＜初期レジスト制御量Ｒcについて＞
図８に示すように、イエロートナー像の一次転写に続いてシアントナー像を中間転写ベルト４１に一次転写する場合、当該一次転写の基準となるＶSYNC信号ＶＴ6が出力された時点でクリーナブレード４９１が中間転写ベルト４１に当接されており、その後、シアントナー像の一次転写が開始されるまでに、時間Ａ14の間だけ当接状態のまま中間転写ベルト４１が回転搬送されるため、伸びＡ13が発生する。つまり、その伸びＡ13は、
Ａ13＝Ａ1×Ａ14／Ａ8
となる。
【００７１】
また、クリーナブレード４９１が中間転写ベルト４１から離間すると、上記＜初期レジスト制御量Ｒbについて＞の項で説明したように、縮みＡ26が発生する。したがって、シアントナー像の一次転写開始時点では、レジストズレ量Ａ34（＝Ａ13−Ａ26）が生じているが、一次転写をしている間では、副走査方向におけるズレは発生しない。そこで、この実施形態では、この値（レジストズレ量Ａ34）だけ予め副走査方向にずらしておくことでシアントナー像のレジストズレをゼロに抑えることができるため、初期レジスト制御量Ｒcを、
Ｒc＝Ａ34
に設定している。
【００７２】
以上のように、この初期レジスト制御量の制定処理（レジスト制御量制定処理）においては、二次転写ローラ４８を中間転写ベルト４１に当接している間、二次転写バイアスを与えているが、これは初期レジスト制御量を制定する上で必須の要件ではなく、二次転写バイアスを与えない、あるいは二次転写バイアスと逆極性のバイアスを与えるようにしてもよく、それぞれの場合で以下のような効果が得られる。すなわち、二次転写バイアスを与えない場合には、初期レジスト制御量の制定処理を簡素化することができる。また、二次転写バイアスを与えた場合には、二次転写ローラ４８によって中間転写ベルト４１や感光体／ベルト駆動部４１ａに対して与える負荷が実印字状態に近づき、初期レジスト制御量を正確に求めることができる。さらに、逆極性のバイアスを与える場合には、二次転写ローラ４８に付着したトナーを中間転写ベルト４１側に戻して二次転写ローラ４８をクリーニングして二次転写ローラ４８によるシートの裏汚れを防いで、良好な印字結果を得ることができる。
【００７３】
また、上記した初期レジスト制御量の制定処理では、一次転写バイアスを中間転写ベルト４１に与えて実印字に近い状態で初期レジスト制御量を求めているため、初期レジスト制御量を正確に求めることができる。
【００７４】
さらに、上記した初期レジスト制御量の制定処理では、駆動開始からレジスト制御量制定ジョブ（ステップＳ１１）を２０回繰り返し（ステップＳ１２）、周期Ｔ1〜Ｔ4の実測値をそれぞれ２０個ずつ測定し、これらの実測値に基づき初期レジスト制御量を求めている。しかしながら、駆動開始直後において、中間転写ベルト４１の回転搬送が安定していないことがあり、このような状態で実測した周期Ｔ1〜Ｔ4に基づき初期レジスト制御量を求めたのでは、初期レジスト制御量の精度が低下してしまうおそれがある。そこで、このような問題を解消するためには、駆動開始から所定回数だけ中間転写ベルト４１が回転搬送され、その動作が安定した後で、各周期Ｔ1〜Ｔ4を実測し、それらの実測値に基づき初期レジスト制御量を求めるようにすればよく、こうすることで、初期レジスト制御量を精度良く求めることができる。
【００７５】
Ｂ−３．転写開始位置の補正について
実際に、１枚目からカラー画像を順次印字する場合、以下のようにして転写開始位置が補正されてレジストズレが抑制される。１枚目のカラー画像を印字する場合には、図３のステップＳ４で第１印字シーケンスに対応するシーケンスフラグＦ0が設定されるため、図３のステップＳ５でイエロートナー像Ｙ１、シアントナー像Ｃ１、マゼンタトナー像Ｍ１のレジスト制御量として「０」が設定される一方、ブラックトナー像Ｋ１のレジスト制御量として初期レジスト制御量Ｒaが設定される。したがって、イエロートナー像Ｙ１、シアントナー像Ｃ１、マゼンタトナー像Ｍ１は、従来例と同様に、すべて感光体２１上の所定位置、つまり基準潜像形成位置に形成されることとなり、感光体２１と同期して回転する中間転写ベルト４１に対しても同一位置で一次転写される。その結果、図１２に示すように、これら３つのトナー像Ｙ１，Ｃ１，Ｍ１の転写開始位置はすべて基準転写開始位置に一致し、しかもそれらの転写後端位置も基準転写後端位置にすべて一致している。
【００７６】
一方、ブラックトナー像Ｋ１については、レジスト制御量として初期レジスト制御量Ｒaが設定されていることから、図１３に示すように、タイミングＶＴ4で出力された垂直同期信号ＶSYNCを基準として加減速可能期間Ｔ11のタイミングｔ11で、感光体２１を加減速制御してブラックトナー像の潜像形成位置を基準潜像形成位置に対し副走査方向の（＋）側に制御量Ｒa（＝Ａ32／２）だけシフト移動させる。ここで、「加減速可能期間」とは、ＶＩＤＥＯ信号がＨレベルにあり、露光処理が停止している間の期間をいう。また、この加減速可能期間Ｔ11においては、１つ前のトナー像（マゼンタトナー像Ｍ１）の一次転写処理を継続中であるが、この実施形態では中間転写ベルト４１は感光体２１と同期して駆動制御されるため、感光体２１および中間転写ベルト４１の加減速制御と並行して一次転写されるトナー像に乱れは生じない。
【００７７】
上記のようにして感光体２１の上に形成された潜像を現像器２３Ｋで顕在化し、そのブラックトナー像Ｋ１を中間転写ベルト４１上に一次転写する。その結果、図１２に示すように、ブラックトナー像Ｋ１の転写開始位置は基準転写開始位置に対して（＋）方向にレジスト制御量Ｒaだけずれる。
【００７８】
そして、図１３に示すように、この一次転写処理が進行し、その後半部分に差し掛ったタイミングｔ1で、クリーナブレード４９１の動作を制御するＣＢ信号がＬレベルからＨレベルに立ち上がり、クリーナブレード４９１が中間転写ベルト４１に当接してブラックトナー像Ｋ１がその他のトナー像Ｙ１，Ｃ１，Ｍ１に対して副走査方向にずれる。さらに当該当接状態がタイミングｔ2まで継続され、その結果、レジストズレはさらに大きくなるが、最終的なブラックトナー像Ｋ１の副走査方向におけるレジストズレ量は、（−）方向にズレ量（Ａ32／２）となる。つまり、ブラックトナー像Ｋ１の転写開始位置を基準転写開始位置に対して（＋）方向にレジスト制御量Ｒaだけ移動させることで、ブラック色についての振れ幅中心ＡＣ1を基準トナー色であるマゼンタ色についての振れ幅中心ＡＣ0と一致させており、こうすることで、すべてのトナー色について一次転写処理中における各トナー色ごとの副走査方向におけるレジストズレの振れ幅中心が相互に一致している。
【００７９】
この結果、この実施形態では、図１２に示すように、ブラックトナー像Ｋ１は他のトナー像Ｙ１，Ｃ１，Ｍ１に対して転写開始側で（＋）方向に（Ａ32／２）だけずれるとともに、転写後端側で（−）方向に（Ａ32／２）だけずれており、最大ズレ量はレジスト制御を行わない場合（図５および図６）の半分になる。
【００８０】
次に、１枚目のカラー画像形成に続いて２枚目のカラー画像を形成する場合（第２印字シーケンス）では、図３のステップＳ４でシーケンスフラグとしてフラグＦ1が設定された後、以下のようにして、レジストズレを抑えて高品質な画像形成が可能となる。
【００８１】
すなわち、ステップＳ５でそのシーケンスフラグＦ1に対応するレジスト制御量が設定される。つまり、イエロートナー像Ｙ２のレジスト制御量として初期レジスト制御量Ｒbが設定され、シアントナー像Ｃ２のレジスト制御量として初期レジスト制御量Ｒcが設定され、マゼンタトナー像Ｍ２のレジスト制御量として「０」が設定されるとともに、ブラックトナー像Ｋ２のレジスト制御量として初期レジスト制御量Ｒaが設定される。そして、各トナー像についてレジスト制御が実行される。
【００８２】
まず、イエロートナー像Ｙ２については、レジスト制御量として初期レジスト制御量Ｒbが設定されていることから、図１４に示すように、タイミングＶＴ5で出力された垂直同期信号ＶSYNCを基準として加減速可能期間Ｔ11のタイミングｔ11で、感光体２１を加減速制御してイエロートナー像の潜像形成位置を基準潜像形成位置に対して副走査方向の（＋）側に制御量Ｒbだけシフト移動させる。そして、この潜像を現像器２３Ｙで顕在化する。
【００８３】
そして、タイミングｔ1でＣＢ信号がＬレベルからＨレベルに立ち上がり、離間していたクリーナブレード４９１が中間転写ベルト４１に当接する。その後、同図の太実線で示すプロファイルでレジストズレ量が変化しながら、イエロートナー像Ｙ２の転写処理が行われて転写後端側で（＋）方向に（Ａ26／２）だけずれるが、基準トナー像（マゼンタトナー像Ｍ２）に対する最大ズレ量はレジスト制御を行わない場合（図７）に比べて大幅に縮小される。
【００８４】
このように、この実施形態では、感光体２１上での潜像形成位置をレジスト制御量Ｒbだけ基準潜像形成位置に対して副走査方向にシフト移動させることで２枚目のイエロートナー像Ｙ２の転写開始位置を調整している。これにより、イエロー色についての振れ幅中心ＡＣ2を基準トナー色であるマゼンタ色についての振れ幅中心ＡＣ0と一致させている。このため、基準トナー像（マゼンタトナー像Ｍ２）に対するズレ量を振れ幅（Ａ26／２）の範囲内に抑制することができる。
【００８５】
イエロートナー像Ｙ２に続いて、シアントナー像Ｃ２の一次転写処理が行われるが、このシアントナー像Ｃ２のレジスト制御量として初期レジスト制御量Ｒcが設定されている。そのため、図１５に示すように、タイミングＶＴ6で出力された垂直同期信号ＶSYNCを基準として加減速可能期間Ｔ11のタイミングｔ11で、感光体２１の回転速度および中間転写ベルト４１の搬送速度Ｖを一時的に遅くすることで、一定速度で回転搬送する場合（基準トナー像、つまりマゼンタトナー像の場合）に比べて感光体２１の回転量および中間転写ベルト４１の搬送量をレジスト制御量Ｒcだけ少なくする。その結果、感光体２１上での潜像形成位置が基準潜像形成位置に対して副走査方向にレジスト制御量Ｒcだけシフト移動する。
【００８６】
そして、上記のようにして感光体２１の上に形成された潜像を現像器２３Ｃで顕在化し、そのシアントナー像Ｃ２を中間転写ベルト４１上に一次転写する。したがって、クリーナブレード４９１の離当接によるレジストズレ量（Ａ26）と、感光体２１上でのトナー像Ｃ２のシフト量Ｒcとが一致してシアントナー像Ｃ２の転写開始位置は基準転写開始位置と一致する。
【００８７】
また、シアントナー像Ｃ２の中間転写ベルト４１への一次転写処理が開始される前のタイミングｔ4でＣＢ信号がＬレベルからＨレベルに立ち上がり、当接していたクリーナブレード４９１が中間転写ベルト４１から離間しているため、一次転写処理中でのレジストズレは生じない。このため、シアントナー像Ｃ２の転写後端位置は転写後端位置と一致する。
【００８８】
このように、この実施形態では、レジスト制御量Ｒcに基づき感光体２１および中間転写ベルト４１を加減速制御することで、シアン色についての振れ幅中心ＡＣ3を基準トナー色であるマゼンタ色についての振れ幅中心ＡＣ0と一致させている。このため、基準トナー像（マゼンタトナー像Ｍ２）に対するズレ量をゼロに抑制することができる。
【００８９】
シアントナー像Ｃ２に続いてマゼンタトナー像Ｍ２の一次転写処理が実行されるが、この転写処理においては、クリーナブレード４９１および二次転写ローラ４８の離当接は一切なく、マゼンタトナー像Ｍ２の転写開始位置および転写後端位置はそれぞれ基準転写開始位置および転写後端位置と一致する。
【００９０】
こうして、３色のトナー像Ｙ２，Ｃ２，Ｍ２が完了すると、次に最終トナー色、つまりブラックトナー像Ｋ２の一次転写処理が実行される。この一次転写処理では、１枚目のブラックトナー像Ｋ１の場合と同様に、感光体２１上での潜像形成位置をレジスト制御量Ｒbだけ副走査方向にシフト移動させることで、ブラック色についての振れ幅中心ＡＣ1を基準トナー色であるマゼンタ色についての振れ幅中心ＡＣ0と一致させている。
【００９１】
したがって、基準トナー像に対して転写開始側で（＋）方向に（Ａ32／２）だけずれるとともに、転写後端側で（−）方向に（Ａ32／２）だけずれており、最大ズレ量はレジスト制御を行わない場合（図５および図６）の半分になる。
【００９２】
このように、２枚目についても、すべてのトナー色について、転写処理中における各トナー色ごとの副走査方向におけるレジストズレの振れ幅中心が相互に一致するように、各トナー色ごとに対応するレジスト制御量に基づき感光体２１の回転速度および中間転写ベルト４１の搬送速度を同期して加減速制御することでトナー像の転写開始位置を補正している。その結果、シアントナー像Ｃ２を基準トナー像であるマゼンタトナー像Ｍ２に完全にレジストさせることができるとともに、イエロートナー像Ｙ２およびブラックトナー像Ｋ２については基準トナー像に完全にレジストすることができないまでも、レジストズレ量を最小限に抑えることができ、高品質な画像形成が可能となる。
【００９３】
また、シーケンスフラグＦ2が設定されている場合には、イエロートナー像Ｙnのレジスト制御量として初期レジスト制御量Ｒcが設定され、シアントナー像Ｃnおよびマゼンタトナー像Ｍnのレジスト制御量として「０」が設定されるとともに、ブラックトナー像Ｋnのレジスト制御量として初期レジスト制御量Ｒaが設定される。そして、各トナー像についてレジスト制御が実行される。
【００９４】
まず、イエロートナー像Ｙnについては、レジスト制御量として初期レジスト制御量Ｒcが設定されていることから、図１６に示すように、タイミングＶＴ01で出力された垂直同期信号ＶSYNCを基準として加減速可能期間Ｔ11のタイミングｔ11で、感光体２１の回転速度および中間転写ベルト４１の搬送速度Ｖを一時的に遅くすることで、一定速度で回転搬送する場合（基準トナー像、つまりマゼンタトナー像の場合）に比べて感光体２１の回転量および中間転写ベルト４１の搬送量をレジスト制御量Ｒcだけ少なくする。その結果、感光体２１上での潜像形成位置が基準潜像形成位置に対して副走査方向にレジスト制御量Ｒcだけシフト移動する。
【００９５】
そして、上記のようにして感光体２１の上に形成された潜像を現像器２３Ｙで顕在化し、そのイエロートナー像Ｙnを中間転写ベルト４１上に一次転写する。したがって、クリーナブレード４９１の離当接によるレジストズレ量（Ａ26）と、感光体２１上でのトナー像Ｙnのシフト量Ｒcとが一致してイエロートナー像Ｙnの転写開始位置は基準転写開始位置と一致する。
【００９６】
また、イエロートナー像Ｙnの中間転写ベルト４１への一次転写処理が開始される前のタイミングｔ4でＣＢ信号がＬレベルからＨレベルに立ち上がり、当接していたクリーナブレード４９１が中間転写ベルト４１から離間しているため、一次転写処理中でのレジストズレは生じない。このため、イエロートナー像Ｙnの転写後端位置は転写後端位置と一致する。
【００９７】
このように、この実施形態では、レジスト制御量Ｒcに基づき感光体２１および中間転写ベルト４１を加減速制御することで、イエロー色についての振れ幅中心ＡＣ4を基準トナー色であるマゼンタ色についての振れ幅中心ＡＣ0と一致させている。このため、基準トナー像（マゼンタトナー像Ｍn）に対するズレ量をゼロに抑制することができる。
【００９８】
イエロートナー像Ｙnに続いて、シアントナー像Ｃnおよびマゼンタトナー像Ｍnの一次転写処理が順次行われるが、これらの転写処理においては、クリーナブレード４９１および二次転写ローラ４８の離当接は一切なく、両トナー色についての振れ幅中心は相互に一致しており、両トナー像ＣnおよびＭnの転写開始位置および転写後端位置はそれぞれ基準転写開始位置および転写後端位置と一致する。
【００９９】
こうして、３色のトナー像Ｙn，Ｃn，Ｍnが完了すると、次に最終トナー色、つまりブラックトナー像Ｋnの一次転写処理が実行される。この一次転写処理では、第１および第２印字シーケンスの場合と同様に、レジスト制御量Ｒcに基づき感光体２１および中間転写ベルト４１を加減速制御することで、ブラック色についての振れ幅中心ＡＣ1を基準トナー色であるマゼンタ色についての振れ幅中心ＡＣ0と一致させている。したがって、基準トナー像に対して転写開始側で（＋）方向に（Ａ32／２）だけずれるとともに、転写後端側で（−）方向に（Ａ32／２）だけずれており、最大ズレ量はレジスト制御を行わない場合（図５および図６）の半分になる。
【０１００】
このように、空転処理後のカラー印字についても、すべてのトナー色について、転写処理中における各トナー色ごとの副走査方向におけるレジストズレの振れ幅中心が相互に一致するように、各トナー色ごとにレジスト制御量Ｒcに基づき感光体２１および中間転写ベルト４１を加減速制御することで、トナー像の転写開始位置を補正している。その結果、イエロートナー像Ｙn、シアントナー像Ｃnおよびマゼンタトナー像（基準トナー像）Ｍnを完全にレジストさせることができるとともに、ブラックトナー像Ｋnについては基準トナー像に完全にレジストすることができないまでも、レジストズレ量を最小限に抑えることができ、高品質な画像形成が可能となる。
【０１０１】
Ｃ．レジスト制御量の変更設定処理について
ところで、レジストズレの許容度は上述したようにユーザ業種や画像種類などの要因によって大きく異なっており、ユーザ要求によっては印字出力された内容に基づきレジストズレを調整したい場合がある。そこで、この実施形態ではレジスト制御量Ｒa，Ｒb，Ｒcを個別に変更設定可能に構成し、レジストズレをさらに抑えてより高品質な画像を得たい場合には、レジスト制御量の変更設定プログラム（以下「制御量変更設定プログラム」という）を実行するように構成している。もちろん、既に自動的に求められたレジスト制御量で十分な品質の画像出力が得られている場合には、レジスト制御量の変更は必要なく、レジスト制御量の変更設定処理を実行することなく、そのままの状態で印字を継続させればよい。以下、図１７〜図１９を参照しながら、レジスト制御量の変更設定処理について詳述する。
【０１０２】
図１７は、この発明にかかる画像形成装置におけるレジスト制御量の変更設定動作を示すフローチャートである。また、図１８は図１の画像形成装置と外部装置との接続関係を示す模式図である。図１の画像形成装置は上記したようにホストコンピュータなどの外部装置１００と電気的に接続されており、この外部装置１００の装置本体１０１の演算処理部（図示省略）で制御量変更設定プログラムが必要に応じて実行されることによって画像形成装置のメモリ１２５に記憶されているレジスト制御量Ｒa，Ｒb，Ｒcが図１７に示すフローチャートにしたがって変更設定される。
【０１０３】
この外部装置１００側で制御量変更設定プログラムが実行されると、外部装置１００のディスプレイ１０２上に例えば図１９に示すレジスト制御量の変更設定用の画面が表示される。そして、ステップＳ３１〜Ｓ３６にしたがってレジスト制御量Ｒa，Ｒb，Ｒcのすべて、あるいは一部について変更後の値が外部装置１００のキーボード１０３やマウス（図示省略）によって入力される。例えばＣＡＤ図面などにおいて許容範囲を超える線ズレが発生している場合、その印字画像を調べると、どのトナー色がどの程度ずれているか推定することができるため、それを考慮して変更後の値を決定すればよい。
【０１０４】
そして、変更値の入力が完了し、さらにステップＳ３７で画面上の設定ボタンが選択されると、外部装置１００から画像形成装置に画面上に表示されているレジスト制御量Ｒa，Ｒb，Ｒcが与えられる。これを受けた画像形成装置側では、メモリ１２５に記憶されている内容がこれらの値に書き換えられる（ステップＳ３８）。一方、ステップＳ３７で画面上のキャンセルボタンが選択された場合には、レジスト制御量の書換えは中止され、メモリ１２５に記憶されている内容がそのまま維持される。
【０１０５】
以上のように、この実施形態にかかる画像形成装置によれば、画像形成装置のメモリ１２５に記憶されているレジスト制御量Ｒa，Ｒb，Ｒcの全部あるいは一部を書き換え可能に構成されているので、必要に応じて外部装置１００側で制御量変更設定プログラムが実行されてレジスト制御量Ｒa，Ｒb，Ｒcを書き換え、レジストズレをより高精度に補正することができる。
【０１０６】
なお、この実施形態では、レジスト制御量Ｒa，Ｒb，Ｒcの変更値を直接入力することによってレジスト制御量を変更設定しているが、図２０に示すようにジョブ繰返し数、つまり周期測定回数を変更することによってレジスト制御量Ｒa，Ｒb，Ｒcを変更設定するように構成してもよい。例えば、画像形成装置の工場出荷段階では写真画像などに対応して中・低精度でレジスト制御量を求めるように繰返し数を「２０回」に設定しておき、ＣＡＤ図面などのようにレジストズレの許容度が小さい場合には、回数変更設定プログラムを起動してジョブ繰返し数を高く設定すれば、レジスト制御量制定処理によって求められるレジスト制御量の精度が高まり、レジストズレをさらに抑制することができる。
【０１０７】
また、上記実施形態では、外部装置１００において制御量変更設定プログラムや回数変更設定プログラムなどのプログラムを実行し、変更後のデータ（レジスト制御量や繰返し数）を外部装置１００から画像形成装置側に与えているが、画像形成装置内にレジスト制御量や繰返し数などを入力する入力手段を設け、制御ユニット１内で制御量変更設定プログラムなどを実行してレジスト制御量を変更設定するように構成してもよい。この場合、画像形成装置は外部装置と電気的に接続されていなくとも、単独でレジスト制御量を変更設定することができる。
【０１０８】
さらに、レジスト制御量Ｒa，Ｒb，Ｒcの変更値の入力や測定回数の変更値については、ユーザが直接行ってもよいし、サービスエンジニアが行うようにしてもよい。
【０１０９】
Ｄ．その他
なお、本発明は上記した実施形態に限定されるものではなく、その趣旨を逸脱しない限りにおいて上述したもの以外に種々の変更を行うことが可能である。例えば、上記実施形態では、レジスト制御量に応じて転写開始位置を調整するために、感光体２１と中間転写ベルト４１とを同期して可変速制御することで、感光体２１上での潜像形成位置をレジスト制御量に応じて副走査方向にシフト移動させているが、感光体２１上での潜像形成位置をシフト移動させる方法としては、上記感光体／ベルト駆動制御以外に、露光タイミングを制御することでも可能である。また、感光体／ベルト駆動制御と露光タイミング制御とを組み合わせてもよい。
【０１１０】
また、感光体駆動部とベルト駆動部とを別個に設けた場合には、感光体２１を一定速度で回転駆動する一方、中間転写ベルト４１のうちトナー像の形成されない領域が一次転写領域Ｒ1に位置している期間（一次転写を行わない期間）において、レジスト制御量に基づき中間転写ベルト４１のみを可変速制御して転写開始位置を調整するようにしてもよい。
【０１１１】
また、上記実施形態では、中間転写ベルト４１を回転駆動する駆動源として直流モータを採用し、レジスト制御量に基づき直流モータを加減速制御することでレジスト制御しているが、直流モータの代わりにステッピングモータなどのパルスモータを用い、レジスト制御量に基づきパルス駆動制御することでレジスト制御するようにしてもよい。
【０１１２】
また、上記実施形態にかかる画像形成装置は、ホストコンピュータなどの外部装置よりインターフェース１１２を介して与えられた画像を複写紙、転写紙、用紙およびＯＨＰ用透明シートなどのシートに印字するプリンタであるが、本発明は複写機やファクシミリ装置などの電子写真方式のカラー画像形成装置、つまり複数色のトナーを重ね合わせてカラー画像を形成する画像形成装置全般に適用することができる。
【０１１３】
さらに、上記実施形態では、感光体２１上に形成されたトナー像を中間転写ベルト４１上に転写する転写工程を、各トナー色について実行して中間転写ベルト４１上にカラー画像を形成しているが、中間転写ベルト以外の転写媒体（転写ドラム、転写ベルト、転写シート、中間転写ドラム、中間転写シート、反射型記録シートあるいは透過性記憶シートなど）にトナー像を転写してカラー画像を形成する画像形成装置にも本発明を適用することができる。
【０１１４】
【発明の効果】
以上のように、この発明によれば、レジスト制御量を必要に応じて変更設定可能に構成しているので、ユーザ要求に応じてレジスト制御量を適宜変更することができ、ユーザ要求に対応しながら、レジストズレを抑制することができる。
【図面の簡単な説明】
【図１】この発明にかかる画像形成装置の一実施形態を示す図である。
【図２】図１の画像形成装置の電気的構成を示すブロック図である。
【図３】図１の画像形成装置の基本動作を示すフローチャートである。
【図４】図１の画像形成装置における動作シーケンスの一例を示すタイミングチャートである。
【図５】レジスト制御を行うことなしに図４の動作タイミングで一次転写処理を行った場合の各トナー像のレジスト状況を模式的に示す図である。
【図６】レジスト制御を行うことなしにブラックトナー像を転写した際のレジストズレ状況を示す図である。
【図７】レジスト制御を行うことなしにイエロートナー像を転写した際のレジストズレ状況を示す図である。
【図８】レジスト制御を行うことなしにシアントナー像を転写した際のレジストズレ状況を示す図である。
【図９】レジスト制御を行うことなしにイエロートナー像を転写した際のレジストズレ状況を示す図である。
【図１０】初期レジスト制御量を自動的に制定する処理内容を示すフローチャートである。
【図１１】レジスト制御量制定ジョブの内容を示すタイミングチャートである。
【図１２】レジスト制御しながら、図４の動作タイミングで一次転写処理を行った場合の各トナー像のレジスト状況を模式的に示す図である。
【図１３】図１に示す画像形成装置においてブラックトナー像を転写する際のレジスト制御内容を示す図である。
【図１４】図１に示す画像形成装置においてイエロートナー像を転写する際のレジスト制御内容を示す図である。
【図１５】図１に示す画像形成装置においてシアントナー像を転写する際のレジスト制御内容を示す図である。
【図１６】図１に示す画像形成装置においてイエロートナー像を転写する際のレジスト制御内容を示す図である。
【図１７】この発明にかかる画像形成装置におけるレジスト制御量の変更設定動作を示すフローチャートである。
【図１８】図１の画像形成装置と外部装置との接続関係を示す模式図である。
【図１９】図１８に示す外部装置のディスプレイ上に表示される画面の一例を示す模式図である。
【図２０】図１８に示す外部装置のディスプレイ上に表示される画面の他の例を示す模式図である。
【符号の説明】
１…制御ユニット（制御手段）
１１…メインコントローラ
１２…エンジンコントローラ（制御手段）
２１…感光体
４１…中間転写ベルト（転写媒体）
４８…二次転写ローラ（当接手段）
１２１…ＣＰＵ（制御手段）
１２５…メモリ（記憶部）
４９１…クリーナブレード（当接手段）
Ｃ１，Ｃ２，Ｃn…シアントナー像
Ｋ１…ブラックトナー像
Ｍ１，Ｍ２…マゼンタトナー像
Ｒa，Ｒb，Ｒc…（初期）レジスト制御量
Ｔ1〜Ｔ4…周期
Ｙ１，Ｙ２，Ｙn…イエロートナー像
【図１】
0003788216.tif 000002
【図２】
0003788216.tif 000003
【図３】
0003788216.tif 000004
【図４】
0003788216.tif 000005
【図５】
0003788216.tif 000006
【図６】
0003788216.tif 000007
【図７】
0003788216.tif 000008
【図８】
0003788216.tif 000009
【図９】
0003788216.tif 000010
【図１０】
0003788216.tif 000011
【図１１】
0003788216.tif 000012
【図１２】
0003788216.tif 000013
【図１３】
0003788216.tif 000014
【図１４】
0003788216.tif 000015
【図１５】
0003788216.tif 000016
【図１６】
0003788216.tif 000017
【図１７】
0003788216.tif 000018
【図１８】
0003788216.tif 000019
【図１９】
0003788216.tif 000020
【図２０】
0003788216.tif 000021